(57)【要約】      （修正有）【課題】濾過装置を有する水素水生成システムを提供する。【解決手段】濾過装置を有する水素水生成システム２は、濾過装置１１と、容器１２と、水素水生成装置２１とを含む。濾過装置１１は、容器１２に設けられるとともに、水素水生成装置２１に接続されている。水素水生成装置２１は、濾過装置１１の下面または上面のいずれかに接続されてよいが、ユーザの要求に応じて定める。更に言えば、水素水生成装置２１は、濾過装置１１の構造設計上の接続方式、例えば、ねじによる接続や、ラッパ式開口による接続に合わせることができる。また、ユーザは、水素水生成装置２１と濾過装置１１の接続方式によって、濾過した後さらに電解された飲用水か、電解した後さらに濾過された飲用水かのどちらを飲むかを自分で決めることができる。【選択図】図２
0003206268.tif 000002
【実用新案登録請求の範囲】
【請求項１】
容器と、
前記容器に設けられている濾過装置と、
前記濾過装置に接続されている水素水生成装置と、を含む、
濾過装置を有する水素水生成システム。
【請求項２】
前記水素水生成装置は、前記濾過装置の下面に接続されていることを特徴とする請求項１に記載の濾過装置を有する水素水生成システム。
【請求項３】
前記水素水生成装置は、前記濾過装置の上面に接続されていることを特徴とする請求項１に記載の濾過装置を有する水素水生成システム。
【請求項４】
前記水素水生成装置は、少なくとも一つの開孔を含むことを特徴とする請求項１に記載の濾過装置を有する水素水生成システム。
【請求項５】
前記水素水生成装置の開閉を制御するための制御スイッチをさらに含むことを特徴とする請求項１に記載の濾過装置を有する水素水生成システム。
【請求項６】
前記水素水生成装置は、少なくとも一つの液体受容空間と、少なくとも一つの防水空間と、前記少なくとも一つの防水空間に設けられている制御回路と、前記制御回路に電気的に接続され、前記少なくとも一つの液体受容空間に設けられている電極装置と、を備えることを特徴とする請求項１に記載の濾過装置を有する水素水生成システム。
【請求項７】
前記水素水生成装置は、前記少なくとも一つの防水空間に設けられている無線電力供給ユニットを含むことを特徴とする請求項６に記載の濾過装置を有する水素水生成システム。
【請求項８】
前記水素水生成装置は、前記少なくとも一つの防水空間に設けられている定電源を含むことを特徴とする請求項６に記載の濾過装置を有する水素水生成システム。
【考案の詳細な説明】
【技術分野】
【０００１】
本考案は、水素水生成システムに関し、特に、濾過装置を有する水素水生成システムに関する。
【背景技術】
【０００２】
図１は、従来のフィルタの側面図である。図１を参照する。フィルタ１は、濾過装置１１と、容器１２とを含む。濾過装置１１が容器１２に設けられ、水を濾過した後、ユーザが飲むことができるようになっている。
【０００３】
水素水生成機は、現在よく使われている家庭用機器の一つであり、目下の市場において既に様々な機能の水素水生成機があるが、上記濾過機能及び電解水機能が結合された水素水生成機は見られない。
【考案の概要】
【考案が解決しようとする課題】
【０００４】
そのため、どのように濾過装置を有する水素水生成システムを提供するかが、現在早急に研究すべき課題となっている。
【課題を解決するための手段】
【０００５】
上記問題に鑑みて、本考案は、主な目的として、容器と、濾過装置と、水素水生成装置とを含む、濾過装置を有する水素水生成システムを提供することにある。濾過装置は、容器に設けられている。水素水生成装置が濾過装置に接続されている。
【０００６】
以上のように、本考案に係る濾過装置を有する水素水生成システムは、従来のフィルタの濾過機能と水素水生成装置の電解水機能とを結合することで、ユーザは、濾過水を飲むと同時に、電解水を飲むことができる。よって、本考案は、ユーザに濾過した清潔で不純物のない水質を提供するとともに、水を電解した後で発生する水素と酸素を同時に吸収することができる。
【図面の簡単な説明】
【０００７】
【図１】図１は、従来のフィルタの側面図である。
【図２】本考案に係る濾過装置を有する水素水生成システムの側面図である。
【図３】水素水生成装置の斜視図である。
【図４】水素水生成装置の断面図である。
【考案を実施するための形態】
【０００８】
図２は、本考案に係る濾過装置を有する水素水生成システムの側面図である。図２を参照する。濾過装置を有する水素水生成システム２は、濾過装置１１と、容器１２と、水素水生成装置２１とを含む。濾過装置１１は、容器１２に設けられるとともに、水素水生成装置２１に接続されている。
【０００９】
本考案の実施例では、水素水生成装置２１は、濾過装置１１の下面または上面のいずれかに接続されてよいが、ユーザの要求に応じて定める。更に言えば、水素水生成装置２１は、濾過装置１１の構造設計上の接続方式、例えば、ねじによる接続や、ラッパ式開口による接続に合わせることができるが、本考案では、これらに限定されない。
また、ユーザは、水素水生成装置２１と濾過装置１１の接続方式によって、濾過した後さらに電解された飲用水か、電解した後さらに濾過された飲用水かのどちらを飲むかを自分で決めることができる。言い換えると、水素水生成装置２１が濾過装置１１の上面に接続された場合、ユーザは、先に電解した後さらに濾過された飲用水を飲むことになる。水素水生成装置２１が濾過装置１１の下面に接続された場合、ユーザは、先に濾過した後さらに電解された飲用水を飲むことになる。
【００１０】
図３は、水素水生成装置の斜視図である。水素水生成装置２１は、電解した水が開孔から流出するように、少なくとも一つの開孔２１１を含む。
【００１１】
濾過装置を有する水素水生成システム２は、容器１２のケースに設けられた制御スイッチ（図示せず）を含み、水素水生成装置２１の開閉を制御するために用いられる。制御スイッチは、ユーザがタッチセンサーに接する時に動作するためのタッチセンサーを含む。
【００１２】
図４は、水素水生成装置の断面図である。図４を参照する。水素水生成装置２１は、少なくとも一つの液体受容空間２１２と、少なくとも一つの防水空間２１３と、制御回路２１４と、電極装置２１５とを含む。制御回路２１４が、少なくとも一つの防水空間２１３に設けられている。電極装置２１５が制御回路２１４に電気的に接続し、かつ、少なくとも一つの液体受容空間２１２に設けられている。
【００１３】
制御回路２１４は、定電源及び／または無線電力供給ユニットを含む。無線電力供給ユニット及び定電源が少なくとも一つの防水空間２１３に設けられている。無線電力供給ユニットは、無線電力受信素子と無線電力伝送素子とを含み、無線方式で水素水生成装置２１に電力を提供することができる。あるいは、制御回路２１４は、定電源方式で水素水生成装置２１に電力を提供してもよい、すなわち、水素水生成装置２１は、無線方式で電力を伝送してもよく、水素水生成装置２１内に設けられた単独電源で電解水の動作を行ってもよい。
【００１４】
また、水素水生成装置２１が無線方式で電力を伝送する場合、電力供給ユニットは、無線電力伝送素子と無線電力受信素子とに分けられている。例えば、無線電力受信素子が水素水生成装置２１の制御回路２１４内に設けられるとともに、水素水生成装置２１を他の無線電力伝送素子上に置くことで、無線電力受信素子からの電力を受信することができる。
無線電力供給ユニットまたは定電源に関わる詳細な作動原理及び設計については、出願人が提出した台湾特許第ＴＷ１０５２００５４７号「無線電力供給の水素水生成器」の記載を参考すればよいが、ここで繰り返して説明しない。
【００１５】
以上説明したように、本考案に係る濾過装置を有する水素水生成システムは、従来のフィルタの濾過機能と水素水生成装置の電解水機能とを結合することで、ユーザは、濾過水を飲むと同時に、電解水を飲むことができる。よって、本考案は、ユーザに濾過した清潔で不純物のない水質を飲ませることが可能であるとともに、水を電解した後で発生する水素と酸素を同時に吸収することができる。
【００１６】
以上は、本考案の好ましい実施例にすぎず、本考案の請求範囲を限定するものではなく、いずれの本考案の明細書及び図面内容を運用して実施した等価な構造変形も、本考案の範囲内に含まれるものであることは言うまでもない。
【符号の説明】
【００１７】
１      フィルタ
１１    濾過装置
１２    容器
２      水素水生成システム
２１    水素水生成装置
２１１  開孔
２１２  液体受容空間
２１３  防水空間
２１４  制御回路
２１５  電極装置
【図１】
0003206268.tif 000003
【図２】
0003206268.tif 000004
【図３】
0003206268.tif 000005
【図４】
0003206268.tif 000006